(57)【要約】【課題】箱全体の小型化を図ることができる光接続箱を提供する。【解決手段】光接続箱は側壁１０Ａ，１０Ｂと底壁１０Ｅを有する接続箱本体１０を備えている。接続箱本体１０の底壁１０Ｅには光ファイバを巻くためのファイバガイド１７が立設している。側壁１０Ａには光ファイバ同士を接続するアダプタ４２のアダプタ装着口１３’が設けられている。アダプタ装着口１３’を側壁１０Ａと連なる側壁１０Ｂに対して傾かせている。【選択図】図９
2008181163.tif 000002
【特許請求の範囲】
【請求項１】
光ファイバの接続に用いられる光接続箱であって、
少なくとも側壁と底壁を有する接続箱本体を備え、かつ、
外周に前記光ファイバを巻くための略円弧状の壁部を有するファイバガイドが前記該接続箱本体の底壁から立設しているとともに、
前記接続箱本体の一つの側壁に前記光ファイバを他の光ファイバと接続するための接続部材の取付部を形成し、
前記取付部を、前記一つの側壁と連なりかつ前記底壁から立設した他の側壁に対して傾かせることにより、該取付部に装着された前記接続部材に接続した前記光ファイバと、前記ファイバガイドとの干渉を回避することを特徴とする光接続箱。
【発明の詳細な説明】
【技術分野】
【０００１】
本発明は、光ファイバ（内部に光ファイバ心線を有するケーブル状又はコード状の種々の形態を含む）同士を相互に接続するための光接続箱に関し、特に、箱全体の小型化を図ることができる光接続箱に関する。
【背景技術】
【０００２】
近年の光ネットワークの急速な発展に伴い、光ファイバの配線区間、例えば、固定配線区画の配線点や、屋外から屋内に引き込まれる光ファイバの接続には、光接続箱が用いられている。該光接続箱によって光ファイバを接続する場合、事後的な再接続又は接続変更等を考慮して、箱内に光ファイバの余長部を確保する必要があり、また、光ファイバの心線は折れやすいため、該光ファイバの余長部を許容曲げ半径以上の径で曲げて取り回す必要もある。このため、従来から光ファイバの余長部の処理を工夫した種々の光接続箱が提案されている（特許文献１ないし６参照）。
【０００３】
例えば、特許文献１には、図１１に示すような光接続箱１００が提案されている。該光接続箱１００は、径の細い光ファイバ１１０の余長部（心線）１１０ａを収納する第１余長処理トレイ１００Ａと、形の太い光ファイバ１２０の余長部（心線）１２０ａを収納する第２余長処理トレイ１００Ｂとを備え、これら第１余長処理トレイ１００Ａと第２余長処理トレイ１００Ｂとを互いに重ね合わせた構成となっていた。
【０００４】
また、該光接続箱１００の一側壁１３０には、第１及び第２余長処理トレイ１００Ａ，１００Ｂから引き出された各余長部１１０ａ，１２０ｂには、それぞれコネクタ１１１，１２１が装着されている。
【０００５】
引用文献１には説明されていないが、これらコネクタ１１１，１２１は、一般に、特許文献７に示すようなアダプタを介して、光接続箱１００外側の図示しない相手方コネクタと接続される。
【０００６】
ここで、特許文献７には、図１２に示すようなアダプタ２００が提案されている。該アダプタ２００は、計４個のコネクタの接続が可能な挿入口２０１，２０１…を有し、そのハウジング本体２０２の側壁２０２ａに板状のばね部２０３，２０３…を突設した構成となっていた。また、このようなアダプタ２００は、図示しない光接続箱の側壁２０４に形成された一対の取付壁２０５，２０５の間に係止する構成とになっていた。
【特許文献１】特開２００３−１０７２５３号公報（図５参照）
【特許文献２】特開２００２−９０５８１号公報（図３及び図１１参照）
【特許文献３】特開２００５−１５７１４９号公報（図５参照）
【特許文献４】特開２００４−３５４５３６号公報（図４参照）
【特許文献５】特開２００３−１０７２４９号公報（図２及び図３参照）
【特許文献６】特開２００１−３２４６２１号公報（図１参照）
【特許文献７】特開２００５−１５７１０２号公報（図３及び図４参照）
【発明の開示】
【発明が解決しようとする課題】
【０００７】
しかし、上述した特許文献１に示された光接続箱１００では、図１１に示すように、光接続箱１００（第１余長処理トレイ１００Ａ）の幅Ｗが、コネクタ１１１，１２１（又は図１２に示すアダプタ２００，２００）の幅Ｗ１，Ｗ３と、第２余長処理トレイ１００Ｂの幅Ｗ２との合計に依存してた構造となっていた。このため、これらコネクタ１１１，１２１と第２余長処理トレイ１００Ｂとを互いに重複させない単純なレイアウトでは、光接続箱１００における光ファイバ１１０，１２０の導出面の幅Ｗを減少させるのに一定の限界があった。
【０００８】
近年、ＦＴＴＨ(Fiber To The Home)が普及して末端接続材の小型化が進展しているにもかかわらず、上述した光接続箱１００では、光ファイバ１１０，１２０の導出面の幅Ｗを１１０ｍｍよりも小さくすることができず、マンションやオフィスビルのメーターボックス、ＭＤＦ（主配電盤：Main Distributing Frame）内に、光接続箱１００を設置することができない場合があるという問題があった。
【０００９】
また、上述した光接続箱１００において、コネクタ１１１，１２１や第２余長処理トレイ１００Ｂ等の各部の配置を無理に近接させて幅Ｗを小さくしようとすると、光ファイバ１１０，１２０の余長部１１０ａ，１２０ａが跳ね上がって切断されてしまう場合があり、これを防止するために、余長部１１０ａ，１２０ａをフィルムでカバーした場合は、製品のコストアップをまねくという問題もあった。
【００１０】
本発明は、上記問題点に鑑みてなされたものであり、箱全体の小型化を図ることができる光接続箱の提供を目的とする。
【課題を解決するための手段】
【００１１】
上記目的を達成するために、請求項１に記載の本発明の光接続箱は、光ファイバの接続に用いられる光接続箱であって、少なくとも側壁と底壁を有する接続箱本体を備え、かつ、外周に前記光ファイバを巻くための略円弧状の壁部を有するファイバガイドが前記該接続箱本体の底壁から立設しているとともに、前記接続箱本体の一つの側壁に前記光ファイバを他の光ファイバと接続するための接続部材の取付部を形成し、前記取付部を、前記一つの側壁と連なりかつ前記底壁から立設した他の側壁に対して傾かせることにより、該取付部に装着された前記接続部材に接続した前記光ファイバと、前記ファイバガイドとの干渉を回避することを特徴としている。
【００１２】
このような構成によれば、接続箱本体の他の側壁の長手方向に沿って、取付部とファイバガイドとを並べて配置することができ、また、接続部材の取付部を一つの側壁の中央に配置でき、該接続部材を設けた一つの側壁の幅、すなわち、接続箱本体の光ファイバが導出する面の幅を減少させて、箱全体の小型化を図ることができる。
【００１３】
また、接続部材の取付部に傾きをもたせた構成としてあるので、該取付部に装着された前記接続部材に接続した光ファイバと、ファイバガイドとの干渉を回避することもでき、接続箱本体内に光ファイバを無理なく取り回して跳ね上がりや断線等を防止することができる。
【発明の効果】
【００１４】
請求項１に記載の本発明は、接続部材の取付部を一つの側壁の中央に配置できるので、接続箱本体の光ファイバが導出する面の幅を減少させて、箱全体の小型化を図ることができる。また、接続部材の取付部を傾かせているので、接続箱本体内に光ファイバを無理なく取り回して跳ね上がりや断線等を防止することができる。
【発明を実施するための最良の形態】
【００１５】
以下、本発明の開示例に係る光接続箱について、図面を参照しつつ説明する。本開示例に係る光接続箱は、主として接続箱本体１０と蓋体２０とを備えている。まず、図１〜図４を参照しつつ、接続箱本体１０の構成について説明する。
【００１６】
図１は本発明の開示例に係る光接続箱を構成する接続箱本体１０を示す平面図である。図２は図１の接続箱本体１０を矢印Ａ方向から見た矢視図である。図３は図１の接続箱本体１０を矢印Ｂ方向から見た矢視図である。図４は図１の鎖線で囲ったＣ部の部分拡大斜視図である。
【００１７】
これら図面において、接続箱本体１０は、その全体を合成樹脂材料により一体成形した、矩形状の底壁１０Ｅと、該底壁１０Ｅの外縁から立設した四つの側壁１０Ａ，１０Ｂ，１０Ｃ，１０Ｄとを有する長方形状の箱体である。
【００１８】
互いに対向する短い側壁（特許請求の範囲に記載された側壁に相当）１０Ａ，１０Ｃには、それぞれ、多心ケーブル導入口１１と、段差状ケーブル導入口群１２と、取付部としてのアダプタ装着口１３と、コード挿入口１４とが設けられている。
【００１９】
多心ケーブル導入口１１は、例えば、３２心のインドアケーブル又はドロップケーブル等の多心光ファイバケーブル（光ファイバに相当）３０Ａ（図８参照）を挿入固定するためのものである。多心ケーブル導入口１１は、底壁１０Ｅと直交する方向、すなわち、接続箱本体１０の奥行き方向Ｙに延びるスリット状の溝となっている。なお、本開示例では、底壁１０Ｅと平行な方向を、接続箱本体１０の長さ方向Ｘとする。さらに、接続箱本体１０における光ファイバ導出面である側壁１０Ａ，１０Ｃの長さを幅Ｗという。
【００２０】
該多心ケーブル導入口１１内には、挿入した多心光ファイバケーブル３０Ａのシース（被覆）に食い込む固定金具が差し込んである。また、該多心ケーブル導入口１１の多心光ファイバケーブル３０Ａを支持する底壁１０Ｅ寄りの端部１１ａには、該多心ケーブル導入口１１から接続箱本体１０内へ導入した多心光ファイバケーブル３０Ａを更に支持する平面視略Ｔ字型の薄板状の支持片１１ｂが連成してある。
【００２１】
段差状ケーブル導入口群１２は、接続箱本体１０の奥行き方向Ｙに延びるスリット状のケーブル導入口１２ａ，１２ｂ，１２ｃ，１２ｄを備えている。これらのケーブル導入口１２ａ，１２ｂ，１２ｃ，１２ｄは、例えば、少心のインドアケーブル又はドロップケーブル等の少心光ファイバケーブル（光ファイバに相当）３０Ｂ，３０Ｂ…（図８参照）を挿入固定するためのものである。
【００２２】
これらケーブル導入口１２ａ，１２ｂ，１２ｃ，１２ｄから接続箱本体１０内に導入した各少心光ファイバケーブル３０Ｂ，３０Ｂ…は、上述した多心光ファイバケーブル３０Ａから分岐させた図示しない各光ファイバ心線に、接続部３１（図８参照）を介して接続される。
【００２３】
本開示例における接続部３１は、多心光ファイバケーブル３０Ａと各少心光ファイバケーブル３０Ｂとの各光ファイバ心線を溶かして互いに融着接続し、各融着接続部を融着スリーブで被覆した構成としてある。但し、接続部３１は、このような融着接続に限らず、光ファイバ心線を機械的に付き合わせて接続する「メカニカル接続」等の各種の接続形態による接続部としてもよい。
【００２４】
ここで、本開示例では、図３に示すように、各ケーブル導入口１２ａ，１２ｂ，１２ｃ，１２ｄにおける、少心光ファイバケーブル３０Ｂを支持する底壁１０Ｅ寄りの端部１２ａ１，１２ｂ１，１２ｃ１，１２ｄ１の位置を互いに異ならせて段差状にした構成としてある。ケーブル導入口１２ａ，１２ｂ，１２ｃ，１２ｄの底壁１０Ｅ寄りの端部１２ａ１，１２ｂ１，１２ｃ１，１２ｄ１の底壁１０Ｅからの距離を互いに異ならせている。また、図示例では、ケーブル導入口１２ａ，１２ｂ，１２ｃ，１２ｄの端部１２ａ１，１２ｂ１，１２ｃ１，１２ｄ１の底壁１０Ｅからの距離を、該ケーブル導入口１２ａ，１２ｂ，１２ｃ，１２ｄ同士が並設する方向（図３中の矢印Ｘ）に沿って、互いに段階的に異ならせている。
【００２５】
詳述すると、互いに隣接するケーブル導入口１２ａ，１２ｂの前記端部１２ａ１，１２ｂ１の底壁１０Ｅからの距離の差と、互いに隣接するケーブル導入口１２ｂ，１２ｃの前記端部１２ｂ１，１２ｃ１の底壁１０Ｅからの距離の差と、互いに隣接するケーブル導入口１２ｃ，１２ｄの前記端部１２ｃ１，１２ｄ１の底壁１０Ｅからの距離の差と、を等しくしている。さらに、前述した三つの距離の差を、一つの接続部（融着接続部を被覆した融着スリーブ）３１の径方向の寸法分以上としている。
【００２６】
複数のケーブル導入口１２ａ，１２ｂ，１２ｃ，１２ｄの端部１２ａ１，１２ｂ１，１２ｃ１，１２ｄ１のうちの最も底壁１０Ｅから離れた端部１２ａ１と、最も底壁１０Ｅ寄りの端部１２ｄ１との奥行き方向Ｙの距離は、Ｌとなっている。また、本開示例では、上述した多心ケーブル導入口１１の端部１１ａを、前述した奥行き方向Ｙにおいて、前記端部１２ａ１と端部１２ｄ１との間に位置させている。さらに、本開示例では、上述した多心ケーブル導入口１１の端部１１ａを、前述した奥行き方向Ｙにおいて、前記端部１２ａ１と端部１２ｄ１との中心位置を含み、かつ前述した距離Ｌの１／３の範囲内に位置させている。例えば、図示例では、多心ケーブル導入口１１の端部１１ａの底壁１０Ｅからの距離は、距離Ｌの１／３以上でかつ２／３以下となっている。即ち、多心ケーブル導入口１１の端部１１ａを、前述した奥行き方向Ｙにおいて、多心ケーブル導入口１１の端部１１ａの底壁１０Ｅからの距離は、前記距離Ｌの１／３以上でかつ２／３以下となる位置に配置されている。
【００２７】
このように、段差状に並設された各ケーブル導入口１２ａ，１２ｂ，１２ｃ，１２ｄの前述した距離Ｌの中心位置に、多心ケーブル導入口１１を設置すれば、これら導入口１１、１２ａ１〜１２ｄ１の奥行き方向Ｙの端部１１ａとの距離をほぼ平均的に小さくすることができる。これにより、これら導入口１１、１２ａ〜１２ｄの高さで接続箱本体１０内を取り回される多心光ファイバケーブル３０Ａと各少心光ファイバケーブル３０Ｂとを接続したときに生じる曲がりを平均的に小さくすることができる。
【００２８】
一方で、実際の設計において、種々の周辺部材の取付位置を考慮すると、各ケーブル導入口１２ａ，１２ｂ，１２ｃ，１２ｄの前述した距離Ｌの中心位置に、多心ケーブル導入口１１を設置することができない場合もある。このような場合でも、総合的に多心光ファイバケーブル３０Ａ及び各少心光ファイバケーブル３０Ｂの曲がりが大きくならないようにするため、最大位置差Ｌの中心位置を含むＬ／３の範囲内に多心ケーブル導入口１１を設置することとした。
【００２９】
ここで、図１、図３及び図４に示すように、アダプタ装着口１３は、コネクタ付きのファンアウトコード等を接続するための接続部材としてのアダプタ４２（図８参照）を嵌合保持する（取り付ける）略矩形の切欠部である。本開示例では、接続箱本体１０の側壁１０Ａ，１０Ｃに、図４中に二点鎖線示す切除可能な略矩形の仕切板１３ａを形成し、該仕切板１３ａを切除したときに、アダプタ装着口１３が形成されるようにしてある。このように、アダプタ装着口１３は、一つの側壁としての側壁１０Ａ，１０Ｃを切り欠いて形成されている。
【００３０】
該アダプタ装着口１３は、接続箱本体１０の奥行き方向Ｙに延びる切欠状となっており、該奥行き方向Ｙに沿ってアダプタ４２の挿抜が可能な構成としてある。また、アダプタ装着口１３には、底壁１０Ｅと平行でかつ表面上にアダプタ４２を載置するための載置面１３ｂが設けられている。該載置面１３ｂは、接続箱本体１０内の奥行き方向Ｙの中央に位置している。さらに、アダプタ装着口１３の載置面１３ｂには、後述するファイバガイド１７に向かって水平に突出する押え片１８が面一に連成してある。該押え片１８については、後に詳述する。また、アダプタ４２の一端には、他の光ファイバとしての光ファイバケーブル３０Ｄの端末に取り付けられたコネクタ４１が嵌合し、他端には、後述するファンアウトコード３０Ｃの端末に取り付けられたコネクタ４１が嵌合する。
【００３１】
コード導入口１４は、接続箱本体１０の奥行き方向Ｙに延びるスリット状の溝である。該コード導入口１４は、その溝幅が、ファンアウトコード３０Ｃ（図８参照）等のコード外形の０．８〜０．９倍としてあり、該ファンアウトコード３０Ｃ等のシースを挟み込む構造となっている。このような該コード挿入口１４を介して、ファンアウトコード３０Ｃ等を接続箱本体１０内に導入し、上述したアダプタ４２を用いずに多心光ファイバケーブル３０Ａと直接接続させることができる。
【００３２】
一方、接続箱本体１０の中央部で長い側壁１０Ｄの近傍には、一対の保持部としてのスリーブホルダ１５，１５を間隔をおいて設けている。各スリーブホルダ１５は、該側壁１０Ｄに対向して起立形成した各一対の弾性片１５ａ，１５ａと、保持板１５ｂ，１５ｂとを備えている。各スリーブホルダ１５は、側壁１０Ｄと共同してそれぞれ二箇所、合計四箇所で、複数の接続部（融着接続部を被覆した融着スリーブであり、図示例では、一つのみ示す）３１，３１…を、接続箱本体１０の奥行き方向Ｙに重ねた状態で（並べて）弾性保持する。
【００３３】
ここで、本開示例では、上述のように、互いに隣り合うケーブル導入口１２ａ，１２ｂ，１２ｃ，１２ｄの端部１２ａ１，１２ｂ１，１２ｃ１，１２ｄ１の奥行き方向Ｙの距離を前述した距離Ｌの１／３にして、更に一つの接続部３１の径方向の寸法分以上にしてある。これにより、スリーブホルダ１５に、各接続部３１を接続箱本体１０の奥行き方向Ｙに重ねた状態で弾性保持したとき、各接続部３１をそれぞれに対応する各ケーブル導入口１２ａ，１２ｂ，１２ｃ，１２ｄとほぼ同じ高さに配置することができる。
【００３４】
また、互いに隣接するケーブル導入口１２ａ，１２ｂ，１２ｃ，１２ｄの端部１２ａ１，１２ｂ１，１２ｃ１，１２ｄ１の奥行き方向Ｙの距離が、一つ接続部３１の径方向の寸法より小さい場合には、順次導入される少心光ファイバケーブル３０Ｂ，３０Ｂ…が同じ位置で互いに重複することになり、その導入位置で折れ曲がりなどが発生してしまう。したがって、互いに隣接するケーブル導入口１２ａ，１２ｂ，１２ｃ，１２ｄの端部１２ａ１，１２ｂ１，１２ｃ１，１２ｄ１の奥行き方向Ｙの距離を、一つの接続部３１の径方向の寸法分以上とすることにより、各少心光ファイバケーブル３０Ｂの負担を軽減することができる。
【００３５】
なお、接続箱本体１０の他の長い側壁１０Ｂの中央部には、ダムホルダ１６が設けられている。ダムホルダ１６は、側壁１０Ｂに沿って互いに間隔をあけて配置された一対のホルダ部を備えている。一対のホルダ部、即ちダムホルダ１６は、上述したファンアウトコード３０Ｃ（図８参照）等の図示しないダム部を保持する。
【００３６】
また、接続箱本体１０の底壁１０Ｅの中央部には、一対の略円筒状（略円弧状の壁部を有している）のファイバガイド１７，１７が立設してある。各ファイバガイド１７は、外周面に多心光ファイバケーブル３０Ａ、少心光ファイバケーブル３０Ｂ又はファンアウトコード３０Ｃが沿わされることで、上述した複数の接続部３１，３１…を各スリーブホルダ１５に収納するに際して、多心光ファイバケーブル３０Ａ、少心光ファイバケーブル３０Ｂ又はファンアウトコード３０Ｃ等の取り回しの曲げ半径を規定している。即ち、ファイバガイド１７，１７は、外周面（円弧状壁部に相当）に沿って、接続箱本体１０内に導入された光ファイバケーブル３０Ａ，３０Ｂを取り回す。また、これらのファイバガイド１７は、前述したケーブル導入口１１，１２ａ，１２ｂ，１２ｃ，１２ｄが設けられた側壁１０Ａ，１０Ｃそれぞれに対応して（近傍に）設けられている。
【００３７】
さらに、接続箱本体１０内の各部には、薄肉小片状の複数対の押え片１８，１８が一体成形により配設してある。各押え片１８，１８は、底壁１０Ｅから突設している。各押え片１８，１８は、互いに間隔をあけて対向して配置されいる。各押え片１８，１８は、互いの間に接続箱本体１０内に取り回した多心光ファイバケーブル３０Ａ、少心光ファイバケーブル３０Ｂ又はファンアウトコード３０Ｃ等を通して、これらを互いの間に挟んで保持する。これらの多心光ファイバケーブル３０Ａ、少心光ファイバケーブル３０Ｂ及びファンアウトコード３０Ｃは、特許請求の範囲に記載の光ファイバに相当する。
【００３８】
各押え片１８，１８は、接続箱本体１０の奥行き方向Ｙにおける所定の高さ（本開示例では、高い位置と低い位置の二種）に位置しており、接続箱本体１０内に取り回した多心光ファイバケーブル３０Ａ、少心光ファイバケーブル３０Ｂ又はファンアウトコード３０Ｃ等の跳ね上がりを抑制している。
【００３９】
ここで、図４に示すように、アダプタ装着口１３の載置面１３ｂには、それぞれ、ひとつの押え片１８が連なっており、一方、該アダプタ装着口１３に隣接するファイバガイド１７には、前記一つの押え片１８と対向する他の押え片１８が形成してある（これら一つの押さえ片１８と他の押え片１８は一対の押え片に相当）。
【００４０】
ファイバガイド１７には、アダプタ装着口１３の載置面１３ｂと同じ高さの切欠終端部１７ａが形成してあり、他の押え片１８は、該切欠終端部１７ａに連成してある。したがって、これら一と他の押え片１８，１８は共に、接続箱本体１０の奥行き方向Ｙの中間の高さに位置している。
【００４１】
そして、これらの一対の押え片１８，１８の互いに対向する端部の間には、スリット状の隙間１８ａが形成してある。該隙間１８ａは、図８に示すファンアウトコード３０Ｃの余長部３０Ｃ１を一対の押え片１８，１８間に挿通させるためのものである。
【００４２】
本開示例では、一対の押え片１８，１８の互いに対向する端部を、互いに平行で、かつ接続箱本体１０内に取り回したファンアウトコード３０Ｃの余長部３０Ｃ１と交差する方向に沿って平坦な傾斜形状としてある。これにより、一対の押え片１８，１８に挟むと、該押さえ片１８，１８の近傍で余長部３０Ｃ１が曲がって、該余長部３０Ｃ１が容易に隙間１８ａから跳ね上がらなくなる。
【００４３】
また、本開示例では、前述した一対の押さえ片１８，１８の底壁１０Ｅからの距離と、アダプタ装着口１３の載置面１３ｂの底壁１０Ｅからの距離とは等しく形成されている。即ち、アダプタ装着口１３を、前述した一対の押さえ片１８，１８以上に底壁１０Ｅから離れた位置に設け、載置面１３ｂを、前述した一対の押さえ片１８，１８以上に底壁１
０Ｅから離れた位置に配置している。
【００４４】
一方、接続箱本体１０の側壁１０Ａ，１０Ｃの外側には、各一対の取付板１９Ａ，１９Ａ及び１９Ｂ，１９Ｂが設けてある。これら取付板１９Ａ，１９Ｂは、接続箱本体１０を設置面に対して横置き又は縦置きに選択的に固定するためのものである。接続箱本体１０を横置きするための各取付板１９Ａは、底壁１０Ｅと平行な方向Ｘに突設してあり、接続箱本体１０を縦置きするための各取付板１９Ｂは、底壁１０Ｅと垂直な方向に突設してある。これら取付板１９Ａ，１９Ｂには、それぞれ図示しないねじ等を挿通するための長孔が切り欠いてある。また、接続箱本体１０の底壁１０Ｅには、該接続箱本体１０を設置面にねじ止めするための長孔状の貫通孔１０ｂ，１０ｂ…が穿設してある。
【００４５】
その他、接続箱本体１０には、次に述べる蓋体２０（図５参照）の着脱を容易にするための切欠部１０ａ，１０ａ、該蓋体２０をねじ止めするための円柱状のねじ止め部１０ｃ，１０ｃが形成してある。
【００４６】
次いで、上述した蓋体２０について、図５、図６及び図７を参照しつつ説明する。図５は上記光接続箱を構成する蓋体を示す平面図である。図６は図５の蓋体を矢印Ｄ方向から見た矢視図である。図７は図５の蓋体を矢印Ｅ方向から見た矢視図である。
【００４７】
蓋体２０は、図５に示すように、平面視が略長方形状の板状部材であり、互いに対向する各長辺の中央には、接続箱本体１０の各切欠部１０ａに嵌合する一対の嵌合片２０ａ，２０ａが突設してある。接続箱本体１０の側壁１０Ａ〜１０Ｄにより形成された開口部に蓋体２０を取り付けたとき、各嵌合片２０ａのみが、前述した側壁１０Ａ，１０Ｃに連なる他の側壁としての側壁１０Ｂ，１０Ｄの板厚と面一になり、該蓋体２０着脱の際の把持部の役割を果たしている。
【００４８】
蓋体２０の表面には、接続箱本体１０のねじ止め部１０ｃ，１０ｃのいずれかに対応する貫通孔２０ｂが穿設してある。また、蓋体２０の裏面における各短辺には、接続箱本体１０の多心ケーブル導入口１１の上部に嵌合する多心ケーブル押え突起（突起部）２１，２１がそれぞれ突設してある。
【００４９】
さらに、蓋体２０の裏面における各短辺には、各多心ケーブル押え突起２１に隣接して、段差状ケーブル押え突起群２２がそれぞれ突設してある。各段差状ケーブル押え突起群２２は、接続箱本体１０の各ケーブル導入口１２ａ，１２ｂ，１２ｃ，１２ｄの上部に嵌合するケーブル押え突起（突起部に相当）２２ａ，２２ｂ，２２ｃ，２２ｄからなっている。ケーブル押え突起２２ａ，２２ｂ，２２ｃ，２２ｄは、ケーブル導入口１２ａ，１２ｂ，１２ｃ，１２ｄに嵌合して、該ケーブル導入口１２ａ，１２ｂ，１２ｃ，１２ｄと光ファイバケーブル３０Ｂとの間に隙間を埋める。
【００５０】
次に、上記構成からなる本開示例の光接続箱における光ファイバケーブル等の取り回しについて、図８を参照しつつ説明する。図８は上記接続箱本体に各種光ファイバケーブル及び光ファイバコードを取り回し接続した状態を示す平面図である。
【００５１】
多心光ファイバケーブル３０Ａ、少心光ファイバケーブル３０Ｂ又はファンアウトコード３０Ｃ等を接続又は分岐接続する場合、まず、多心光ファイバケーブル３０Ａの先端部から必要な分のシースを取り除き、残った先端側のシースを固定金具に食い込ませつつ、該多心光ファイバケーブル３０Ａを、接続箱本体１０の多心ケーブル導入口１１に挿入固定する。該多心光ファイバケーブル３０Ａの挿入後、接続箱本体１０の底部１０Ｅに最も近いケーブル導入口１２ｄに、同様にして少心光ファイバケーブル３０Ｂを挿入固定する。
【００５２】
次いで、これら多心光ファイバケーブル３０Ａ及び少心光ファイバケーブル３０Ｂの取り回しに必要な光ファイバ長を確保しつつ、互いのファイバ心線を融着接続し、該融着接続部を融着スリーブで被覆して接続部３１を形成する。そして、多心光ファイバケーブル３０Ａのファイバ心線をファイバガイド１７に沿って取り回し（外周に巻き）つつ、該接続部３１をスリーブホルダ１５に弾性保持させる。このとき、接続箱本体１０内に取り回した多心光ファイバケーブル３０Ａのファイバ心線が浮き上がらないように、該ファイバ心線を、各押え片１８の下を通過させて取り回す。
【００５３】
上記と同様の作業を、各ケーブル導入口１２ｃと１２ｂと１２ａとに順に、底壁１０Ｅに近い順番で繰り返し行い、多心光ファイバケーブル３０Ａと少心光ファイバケーブル３０Ｂとのファイバ心線を全て接続する。そして、上記順番で、各接続部３１，３１…を接続箱本体１０の奥行き方向Ｙに重ねた状態でスリーブホルダ１５に弾性保持させる。
【００５４】
一方、コネクタ４１を装着したファンアウトコード３０Ｃの余長部３０Ｃ１を接続箱本体１０内に収納する場合は、まず、該ファンアウトコード３０Ｃのコネクタ４１をアダプタ４２に嵌合する。なお、アダプタ４２は、図１２に示す従来のアダプタ２００と同様、複数対のコネクタ４１を接続可能な構成となっている。
【００５５】
次いで、該余長部３０Ｃ１を、一と他の押え片１８，１８の相互間に挿通させながら、２つのファイバガイド１７，１７に沿って楕円を描くように巻き曲げて取り回す。これを繰り返すことにより、多重に巻き曲げられた余長部３０Ｃ１の２箇所が、それぞれ一と他の押え片１８，１８及び１８，１８によって保持される。その後、アダプタ４２をアダプタ装着口１３に嵌合保持させる。さらに、該アダプタ４２に光ファイバケーブル３０Ｄの端末に取り付けられたコネクタ４１を嵌合する。
【００５６】
なお、多心光ファイバケーブル３０Ａに接続したファンアウトコード３０Ｃを、アダプタ４２を介さずに直接、接続箱本体１０の外部へ導出する場合は、コード導入口１４に該ファンアウトコード３０Ｃを挿入固定する。
【００５７】
以上のように、本開示例の光接続箱によれば、ファンアウトコード３０Ｃの余長部３０Ｃ１の跳ね上がりを一対の押え片１８，１８により防止しつつ、接続箱本体１０の奥行き方向Ｙ（底壁１０Ｅに直交する方向）において、該余長部３０Ｃ１とアダプタ４２とを重複させて配置することができる。即ち、底壁１０Ｅと直交する方向に沿って、ファンアウトコード３０Ｃの余長部３０Ｃ１とアダプタ４２とを重複させて配置しても、該余長部３０Ｃ１をアダプタ４２と接続箱本体１０との間に挟むことなく押え片１８，１８間で保持できる。このため、接続箱本体１０のアダプタ装着口１３を設けた側壁１０Ａ，１０Ｃ（光ファイバケーブル３０Ａ，３０Ｂが導出する面に相当）の幅Ｗを減少させて、箱全体の小型化を図ることができる。
【００５８】
また、アダプタ装着口１３を側壁１０Ａ，１０Ｃを切り欠いて、蓋体２０側が開口したコ字状に形成したことにより、接続箱本体１０内にファンアウトコード３０Ｃの余長部３０Ｃ１を取り回した後で、該アダプタ装着口１３にアダプタ４２を簡単に装着することができる。また、アダプタ４２の載置面１３ｂを一対の押え片１８，１８と同じ高さに形成し該押え片１８，１８に隙間１８ａを形成したことにより、該アダプタ装着口１３にアダプタ４２を装着したときに、余長部３０Ｃ１のアダプタ４２と接続箱本体１０との間の挟み込みを回避することができ、該余長部３０Ｃ１即ち光ファイバの断線を確実に防止することができる。
【００５９】
さらに、アダプタ装着口１３を側壁１０Ａ，１０Ｃを切り欠いて前述したコ字状に形成
したことにより、コネクタ４１を接続したままの状態でアダプタ４２をアダプタ装着口１３に挿抜することができる。このため、余長部３０Ｃ１の跳ね上がりを一対の押え片１８，１８により防止する構成でありながら、余長部３０Ｃ１の取り扱いを極めて容易に行える。
【００６０】
これに加え、一対の押え片１８，１８の互いに対向する端部を、互いに平行で、かつ接続箱本体１０内に取り回したファンアウトコード３０Ｃの余長部３０Ｃ１と交差する方向に沿って平坦な傾斜形状としてあるので、該余長部３０Ｃ１が押え片１８，１８の近傍で曲がって、該押え片１８，１８間の隙間１８ａから抜け出しにくくなり、余長部３０Ｃ１の跳ね上がりをより確実に防止することができる。
【００６１】
次に、本発明の一実施形態に係る光接続箱について、図９及び図１０を参照しつつ説明する。
【００６２】
図９は本発明の一実施形態に係る光接続箱を構成する接続箱本体１０’を示す平面図である。図１０は上記接続箱本体１０’を設置面Ｇに設置した状態を示す斜視図である。
【００６３】
なお、以下に説明する本発明の一実施形態において、上述した開示例と同様の箇所については、同一の符号を付して詳細な説明は省略する。
【００６４】
図９において、本実施形態の光接続箱は、接続箱本体１０’の側壁１０Ｂ，１０Ｄの長手方向に沿って、ファイバガイド１７，１７と少なくとも一部が並ぶ位置にアダプタ装着口１３’を形成している。そして、該アダプタ装着口１３’を、側壁１０Ｂ，１０Ｄに対して傾かせることにより、該アダプタ装着口１３’に装着されたアダプタ４２に接続したファンアウトコード３０Ｃ（図８参照）と、ファイバガイド１７，１７との干渉を回避している。即ち、アダプタ装着口１３’の中心線（図９中に一点鎖線で示す）は、側壁１０Ｂ，１０Ｄの長手方向に対して交差している。なお、アダプタ装着口１３’の中心線が、アダプタ装着口１３’の向きを示し、アダプタ４２などの光軸と平行である。
【００６５】
ここで、アダプタ装着口１３’の傾き角α°（前述した中心線と側壁１０Ｂ，１０Ｄの長手方向とのなす角）は、接続箱本体１０’内においてアダプタ４２に接続したコネクタ４１のブーツ４１ｂがファイバガイド１７に干渉しない角度としてある。
【００６６】
また、アダプタ装着口１３’の傾き角α°は、接続箱本体１０’を一対の取付板１９Ｂ，１９Ｂによって設置面Ｇに固定した（側壁１０Ｂを設置面Ｇに重ねた）ときに、アダプタ装着口１３’の外側端部１３’ｃが、設置面Ｇから離反するような角度ともしてある。なお、設置面Ｇは、建造物や構造物などの壁面である。即ち、光接続箱は、建造物や構造物などの壁面に重ねられて、これらの建造物や構造物などに取り付けられる。また、アダプタ装着口１３’は、接続箱本体１０’の外側に向かうにしたがって、前述した設置面Ｇから徐々に離れる方向に、前述した側壁１０Ｂ，１０Ｄの長手方向に対して傾いている。
【００６７】
このような構成からなる本実施形態の光接続箱によれば、接続箱本体１０’の側壁１０Ｂ，１０Ｄの長手方向に沿って、アダプタ装着口１３即ちアダプタ４２とファイバガイド１７とを並べて配置することができ、また、アダプタ装着口１３’を側壁１０Ａ，１０Ｃの長手方向の中央に設けることができる。即ち、アダプタ装着口１３’を側壁１０Ａ，１０Ｃの長手方向の中央に設けても、アダプタ４２や該アダプタ４２に嵌合したコネクタ４１がファイバガイド１７と干渉することを防止できる。したがって、アダプタ装着口１３’を側壁１０Ａ，１０Ｃの長手方向の中央に設けることができ、これら側壁１０Ａ，１０Ｃの幅Ｗを減少させて、箱全体の小型化を図ることができる。
【００６８】
また、アダプタ装着口１３’に傾き角αをもたせた構成としてあるので、該アダプタ装着口１３’に装着されたアダプタ４２に接続したコネクタ４１のブーツ４１ｂないしファンアウトコード３０Ｃ（図８参照）と、ファイバガイド１７との干渉を回避することもでき、接続箱本体１０内にファンアウトコード３０Ｃの余長部３０Ｃ１を無理なく取り回して跳ね上がりや断線等を防止することができる。
【００６９】
さらに、図１０に示すように、アダプタ装着口１３’に傾き角αをもたせて前述した方向に傾かせているので、接続箱本体１０を設置面Ｇに固定した場合に、接続箱本体１０’の外側からアダプタ４２に接続したコネクタ４１のラッチ部４１ａ（設置面Ｇ側のラッチ部４１ａ）と、設置面Ｇとの間に、作業者が指を入れるためのスペースＳが確保される。この結果、接続箱本体１０を設置面Ｇに固定した状態であっても、該アダプタ４２にコネクタ４１を容易に挿抜することができ、作業性の向上を図ることができる。
【００７０】
なお、上述した実施形態は、本発明の代表的な形態を示したに過ぎず、本発明の光接続箱は、上述した実施形態に限定されるものではない。例えば、上記実施形態では、本発明をファンアウトコード３０Ｃの余長部３０Ｃ１に適用した場合を具体例として説明したが、本発明の適用される光ファイバは、ファンアウトコード３０Ｃに限らず、多心光ファイバケーブル３０Ａ、少心光ファイバケーブル３０Ｂ、及びその他各種光ファイバに適用することができる。その他、本発明の骨子を逸脱しない範囲で種々変形して実施することができる。
【００７１】
また、本発明では、アダプタ装着部１３の載置面１３ｂを、押え片１８，１８より底壁１０Ｅから離しても良い。即ち、アダプタ装着部１３の載置面１３ｂの底壁１０Ｅからの距離を、押え片１８，１８の底壁１０Ｅからの距離より長くしても良い。要するに、本発明では、アダプタ装着部１３及び載置面１３ｂを、押え片１８，１８以上に底壁１０Ｅから離れた位置に設ければ良い。さらに、本発明では、アダプタ装着口１３，１３’の近傍に配置された押さえ片１８，１８以外の押さえ片１８，１８は、アダプタ装着口１３，１３’より底壁１０Ｅから離れていても良い。
【図面の簡単な説明】
【００７２】
【図１】本発明の開示例に係る光接続箱を構成する接続箱本体を示す平面図である。
【図２】図１に示された接続箱本体を図１中の矢印Ａ方向から見た矢視図である。
【図３】図１に示された接続箱本体を図１中の矢印Ｂ方向から見た矢視図である。
【図４】図１中の鎖線で囲ったＣ部を拡大して示す斜視図である。
【図５】図１に示された接続箱本体に取り付けられる蓋体を示す平面図である。
【図６】図５に示された蓋体を図５中の矢印Ｄ方向から見た矢視図である。
【図７】図５に示された蓋体を図５中の矢印Ｅ方向から見た矢視図である。
【図８】図１に示された接続箱本体に各種光ファイバケーブル及び光ファイバコードを取り回し接続した状態を示す平面図である。
【図９】本発明の一実施形態に係る光接続箱を構成する接続箱本体を示す平面図である。
【図１０】図９に示された接続箱本体を設置面に設置した状態を示す斜視図である。
【図１１】従来の光接続箱を示す平面図である。
【図１２】従来のアダプタ及びその取付壁を示す斜視図である。
【符号の説明】
【００７３】
１０、１０’  接続箱本体
１０Ａ，１０Ｃ  側壁（一つの側壁）
１０Ｂ，１０Ｄ  側壁（他の側壁）
１０Ｅ  底壁
１３，１３’  アダプタ装着口（取付部）
１３ｂ  載置面
１７  ファイバガイド
１８  押え片
１８ａ  隙間
２０  蓋体
３０Ａ  多心光ファイバケーブル（光ファイバ）
３０Ｂ  少心光ファイバケーブル（光ファイバ）
３０Ｃ  ファンアウトコード（光ファイバ）
３０Ｄ  光ファイバケーブル（他の光ファイバ）
３０Ｃ１  余長部
４２  アダプタ（接続部材）
Ｇ  設置面
Ｗ  幅
【図１】
2008181163.tif 000003
【図２】
2008181163.tif 000004
【図３】
2008181163.tif 000005
【図４】
2008181163.tif 000006
【図５】
2008181163.tif 000007
【図６】
2008181163.tif 000008
【図７】
2008181163.tif 000009
【図８】
2008181163.tif 000010
【図９】
2008181163.tif 000011
【図１０】
2008181163.tif 000012
【図１１】
2008181163.tif 000013
【図１２】
2008181163.tif 000014